(57)【要約】【課題】ビデオテープを実時間再生しなくてもＤＶＣテープ録画内容を容易に検索することができ、検索した録画部分を容易に再生することができるシステムや方法を提供する。そのために有効なビデオテープ等を提供する。【解決手段】タイムコードを付して録画されたビデオテープの録画内容の検索用に、録画内容に対応する文字データを当該ビデオテープのタイムコードと関連づけて入力したコンピュータテキストファイルが記憶されていて、かつ該コンピュータテキストファイルの文字データ検索により選択されたタイムコードから該タイムコードの録画部分が再生されるように検索機器と録画再生機器とが関連付けて接続されている、ビデオテープ録画内容の検索・再生用システムである。タイムコードを付して録画されたビデオテープの未録画部分に、録画内容に対応する文字データを当該ビデオテープのタイムコードと関連づけて入力したコンピュータテキストファイルを追加記録する。ビデオテープに記録されたコンピュータテキストファイルにより録画検索をした後に、選択された録画部分を再生させる。【選択図】　なし【特許請求の範囲】
【請求項１】
タイムコードを付して録画されたビデオテープの録画内容の検索用に、録画内容に対応する文字データを当該ビデオテープのタイムコードと関連づけて入力したコンピュータテキストファイルが記憶されていて、かつ該コンピュータテキストファイルの文字データ検索により選択されたタイムコードから該タイムコードの録画部分が再生されるように検索機器と録画再生機器とが関連付けて接続されていることを特徴とするビデオテープ録画内容の検索・再生システム。
【請求項２】
タイムコードを付して録画されたビデオテープの未録画部分に、録画内容に対応する文字データを当該ビデオテープのタイムコードと関連づけて入力したコンピュータテキストファイルが追加記録されていることを特徴とする録画検索可能なビデオテープ。
【請求項３】
デジタル記録方式であることを特徴とする請求項２に記載の録画検索可能なビデオテープ。
【請求項４】
ポリエステルフィルムとポリエステルフィルムの片側表面Ａに形成された強磁性金属薄膜の磁性層とからなる磁気記録方式のビデオテープであることを特徴とする請求項２又は３に記載の録画検索可能なビデオテープ。
【請求項５】
請求項２記載のビデオテープに記録されたコンピュータテキストファイルにより録画内容を検索した後に、選択された録画部分を再生させることを特徴とするビデオテープ録画内容を検索・再生する方法。
【請求項６】
請求項４に記載のビデオテープ用のポリエステルフィルムであって、フィルムの片側表面Ａの表面粗さＲａが１〜４ｎｍであり、高さ１２０〜２４０ｎｍのフィルム内異物起因突起個数が１〜４０個／１００ｃｍ２、高さ２４０ｎｍを超えるフィルム内異物起因突起個数が１〜１５個／５００ｃｍ２であることを特徴とするビデオテープ用ポリエステルフィルム。
【請求項７】
ポリエステルがポリエチレンテレフタレート又はポリエチレン−２，６−ナフタレートであることを特徴とする請求項６に記載のビデオテープ用ポリエステルフィルム。
【発明の詳細な説明】
【０００１】
【発明の属する技術分野】
本発明は、ビデオテープの録画内容をテキスト文書より検索可能な検索・再生システム、方法、そのためのビデオテープ、及び、該ビデオテープ用ポリエステルフィルムに関するものである。
【０００２】
【従来の技術】
１９９５年に実用化された民生用デジタルビデオテープは厚さ６〜７μｍのベースフィルム上にＣｏの金属磁性薄膜を真空蒸着により設け、その表面にダイヤモンド状カーボン膜をコーティングしてなり、ＤＶミニカセットを使用したカメラ一体型ビデオの場合には基本仕様（ＳＤ仕様）で１時間の録画時間をもつ。
【０００３】
このデジタルビデオカセット（ＤＶＣ）は、家庭用で世界で初のデジタルビデオカセットであり、ａ．小型ボディながら、膨大な情報が記録できる、ｂ．信号が劣化しないから、何年たっても画質・音質が劣化しない、ｃ．雑音の妨害を受けないから高画質・高音質が楽しめる、ｄ．ダビングを繰り返しても映像が劣化しない、等のメリットを持ち、市場の評価は高い。またＤＶカメラ、ＤＶデッキをＤＶ端子（ＩＥＥＥ１３９４準拠）を装備した他のビデオ機器とつなげば画質劣化のほとんどないデジタルダビングが可能であり、ＤＶ端子のあるパソコンと接続して、映像の編集／加工をパソコンで自由に楽しむことができ、編集／加工された画像をＤＶＣテープに保存することができ、他のカメラで撮影した画像の保存、編集／加工された画像の保存を画質劣化がほとんどなく実行可能であり、ＤＶＣの使用の拡大が続いている。
【０００４】
そのベースフィルムとしては、
▲１▼ポリエステルフィルムと、該フィルムの少なくとも片面に密着されたポリマーブレンド体と粒径５０〜５００オングストロームの微細粒子を主体とした不連続皮膜とからなり、該不連続皮膜には水溶性ポリエステル共重合体が含有され、微細粒子により不連続皮膜上に微細突起が形成されたポリエステルフィルム（例えば特公昭６３−５７２３８号公報）、
特にドロップアウトの少ないＤＶＣテープとなるベースフィルムとして、
▲２▼片側表面Ａに高さ１０〜５０ｎｍの微細表面突起が３００万〜９０００万個／ｍｍ２設けられてなるポリエステルフィルムであって、片側表面Ａに存在する高さ５０〜１２０ｎｍの表面突起が４万個／ｍｍ２以下、高さ１２０ｎｍ以上の表面欠陥が４００個／１００ｃｍ２以下であるポリエステルフィルム（例えば特開２０００−２５１０５号公報）
等が用いられている。
【０００５】
現在のＤＶＣテープは、高画質、高音質の情報の記録、保存や、編集／加工された画像の保存が、音質や画質の劣化なく実行することが可能であるので、編集の楽しさが趣味的に認知され、利用が大きく広がってきた。しかし、他のビデオテープと同様、該ＤＶＣテープの中に、どのような映像が記録、保存されているかはＤＶＣテープのラベル記載内容から推測するだけであって、実際に再生して確認しない限り録画内容の詳細は判らず、どのような貴重な情報や思い出がつまっているかというＤＶＣテープ録画内容の検索を、短時間で行うことは不可能である。
【０００６】
そこで、ビデオテープの内容を確認、検索するための技術として、次の提案がされている。
【０００７】
イ）　ビデオテープ内の一連の動画像の中から所定のタイミングで抽出した画像を、インデックス画像としてビデオテープの先頭に録画すると共に、抽出したタイミングに合わせてコントロールトラックにマーカーを書き込む。先頭に録画したインデックス画像の中から所望の画像を指定することにより、ビデオテープに記録されたインデックスマーカーを利用して指定された記録位置に移行され、再生動作が行われる（特許文献１参照）。
【０００８】
ロ）　シークエンシャルアクセス方式の記録媒体にＡＶ信号を記録すると共に、ＡＶ信号が記録される領域とは異なる部分に、音声入力部からのキーワード音声がタイムコード発生部からのタイムコードと共に、登録用キーワードテーブルに記録する。再生時に、音声入力部より検索用キーワード音声を入力すると、登録用キーワードテーブルに記録されたキーワード音声の中から対応するキーワード音声が検索され、検索されたキーワード音声に対応するタイムコードがＶＴＲ記録再生部に出力され、該タイムコードに応じた位置からビデオテープの再生が行われる（特許文献２参照）。
【０００９】
ハ）　テープ番号の付いた第１のビデオテープに記録した映像素材の検索用として、第２のビデオテープに複数の前記映像素材の任意の映像部分の数フレームを映像インデックス画像として記録する。第２の検索用ビデオテープを用いて、第１のビデオテープ内容の検索を行う（特許文献３参照）。
【００１０】
【特許文献１】特開平８−３１５５４６号公報
【００１１】
【特許文献２】特開平６−２０３５３９号公報
【００１２】
【特許文献３】特開平７−５００８８号公報
【００１３】
【発明が解決しようとする課題】
これらのビデオテープ内容の検索技術をＤＶＣテープに応用したとしても、次のような問題がある。
【００１４】
前記イ）の技術では、ＤＶＣテープの録画画像のうちの一部の画像をインデックス画像としてＤＶＣテープの一部に記録して、該当インデックス画像を実際に再生して確認しなければ内容が検索できないので、内容検索の効率性に欠けるという問題がある。前記ロ）の技術では、音声キーワードの入力により検索可能であるが、録画内容を知らなければ、キーワードとされている言葉自体がわからないので、該当キーワードを見出すことが容易でなく、検索の効率性が劣るという問題がある。また、前記ハ）の技術は、検索用のビデオテープを再生してビデオテープライブラリより希望のビデオテープを再生するものであるので、この方法では、録画画像の内容を検索することは困難である。
【００１５】
このように従来のいずれの技術を適用しても、画像内容検索のためには実際の画像を再生して確認することが必要であり、即ち、画像を再生せずにＤＶＣテープ内容を検索することは不可能である。
【００１６】
そこで、本発明の目的は、ＤＶＣテープを再生しなくてもＤＶＣテープ録画内容を検索すること、即ち、該ＤＶＣテープの中にどのような映像が記録、保存されているかという画像情報を検索することが可能であり、さらに、検索された箇所を容易に再生することができるシステムや方法を提供すること、録画検索することが可能なＤＶＣテープを提供すること、及び、そのために有効なＤＶＣテープ用ポリエステルフィルムを提供することである。なお、ＤＶＣテープ以外のビデオテープにも本発明は適用できる。
【００１７】
【課題を解決するための手段】
かかる目的を達成するための本発明は以下の通りである。すなわち、
１．タイムコードを付して録画されたビデオテープの録画内容の検索用に、録画内容に対応する文字データを当該ビデオテープのタイムコードと関連づけて入力したコンピュータテキストファイルが記憶されていて、かつ該コンピュータテキストファイルの文字データ検索により選択されたタイムコードから該タイムコードの録画部分が再生されるように検索機器と録画再生機器とが関連付けて接続されていることを特徴とするビデオテープ録画内容の検索、再生システム、
２．タイムコードを付して録画されたビデオテープの未録画部分に、録画内容に対応する文字データを当該ビデオテープのタイムコードと関連づけて入力したコンピュータテキストファイルが追加記録されていることを特徴とする録画検索可能なビデオテープ、
３．デジタル記録方式であることを特徴とする上記２に記載の録画検索可能なビデオテープ、
４．ポリエステルフィルムとポリエステルフィルムの片側表面Ａに形成された強磁性金属薄膜の磁性層とからなる磁気記録方式のビデオテープであることを特徴とする上記２又は３に記載の録画検索可能なビデオテープ、
５．上記２記載のビデオテープに記録されたコンピュータテキストファイルにより録画検索をした後に、選択された録画部分を再生させることを特徴とするテープ録画内容を検索、再生する方法、
６．上記４に記載のビデオテープ用のポリエステルフィルムであって、フィルムの片側表面Ａの表面粗さＲａが１〜４ｎｍであり、高さ１２０〜２４０ｎｍのフィルム内異物起因突起個数が１〜４０個／１００ｃｍ２、高さ２４０ｎｍを超えるフィルム内異物起因突起個数が１〜１５個／５００ｃｍ２であることを特徴とするビデオテープ用ポリエステルフィルム、
７．ポリエステルがポリエチレンテレフタレートまたはポリエチレン−２，６−ナフタレートであることを特徴とする上記６に記載のビデオテープ用ポリエステルフィルム、
とするものである。
【００１８】
【発明の実施の形態】
本発明のビデオテープ録画内容の検索、再生システムとは、録画の際にビデオテープにタイムコードが付されて録画されたビデオテープの録画内容検索用に、録画内容に対応する文字データを当該ビデオテープのタイムコードと関連づけて入力したコンピュータテキストファイルが記憶されていて、該コンピュータテキストファイルの文字データ検索により選択されたタイムコードから該タイムコードの録画部分が再生されるように検索機器と録画再生機器とが関連付けて接続されたシステムである。
【００１９】
前記タイムコードは民生用のＲＣ（Ｒｅｗｒｉｔａｂｌｅ　Ｃｏｎｓｕｍｅｒ）タイムコードであり、映像信号の１フレーム毎につけられた番号で、録画スタート時に直前のタイムコードに連続するように記録される。直前にタイムコードがなければ、０時０分０秒フレーム０から記録を始める。タイムコードは「時：分：秒：０から２９までのフレーム番号」の形でテープの絶対位置が記録される。タイムコードは画面表示だけでなくランク（ＬＡＮＣ、Ｌｏｃａｌ　Ａｐｐｌｉｃａｔｉｏｎ　Ｃｏｎｔｒｏｌ　ｂｕｓ　ｓｙｓｔｅｍ）端子、コントロール端子、リモ−ト端子からも入、出力される。ＲＣタイムコードは８ｍｍビデオのために開発され、ＤＶカメラは規格で全機種で記録される。ランク端子からの入力によってタイムコード部のビデオテープ部分が頭だし再生ができる。
【００２０】
本発明においてビデオテープに記録されるコンピュータテキストファイルは、録画内容の検索を可能とするためのものであり、即ち、このビデオテープにどんな映像、音声が入っているか、録画内容を再生しなくても録画内容を記述した文書の文字データにより内容が把握できるように入力、作成されたものである。脚本、あらすじのようなもの、録画内容を時系列にキーワード的に並べたもの、録画内容のハイライトを記述したもの等、形式はいかなるものでもよい。但し、文字データはタイムコードと関連付けて入力されたものでなければならない。すなわち、脚本、あらすじのようなものでは脚本、あらすじに対応する文字データにその時間に対応する場面のタイムコードが付されていること、録画内容が時系列にキーワード的に並べたものであれば、そのキーワードとともにその時間に対応する録画部のタイムコードがならんでいること、ハイライト集であるならば、その各ハイライト毎にそのハイライト時間部のタイムコードが関連づけられていることが必要である。該コンピュータテキストファイルは、パソコンのワードプロセッサー・プログラム、エディター・プログラムを用いてテキスト文書あるいはＨＴＭＬ文書として入力され、ビデオテープの録画内容検索時には、パソコンのメモリー上、及び／又はハードディスク上に存在するが、録画されたビデオテープにデジタル記録方式で追加記録されていることが好ましい。
【００２１】
該テキストファイルはビデオテープからパソコン内のメモリー上やハードディスク上にファイル転送でき、該テキストファイルの文字データはパソコン内で動作しているワードプロセッサー・プログラム、エディター・プログラム、ブラウザー・プログラムの検索機能を用いて文字検索ができ、検索された文字データに対応するタイムコードが選択できるように作成されるのが好ましい。
【００２２】
検索機器としてのパソコンと録画再生機器としてのＶＴＲとはパソコンの指示でＶＴＲが制御できるよう、すなわちタイムコードの入力によりビデオテープのタイムコード部の頭出しができるように接続されており、前記の選択されたタイムコードに関連付けられたビデオテープ部分が再生され、ビデオテープが検索、再生されることが可能となる。
【００２３】
録画内容のコンピュータテキストファイルが、録画されたビデオテープ内にデジタル記録されていると、そのビデオテープ自体に文字情報化されたビデオテープ内容が記憶されていることになり、ビデオテープ録画内容文書や文字データの紛失を防止することができる。
【００２４】
本発明の録画検索可能なビデオテープには、ビデオ録画が可能なことに加え、コンピュータテキストファイルが追加記録できるデジタル記録方式による磁気記録のビデオテープを用いることが好ましい。また、そのビデオテープのベースフィルムはポリエステルフィルムであることが好ましい。ポリエステルフィルムとポリエステルフィルムの片側表面Ａに形成された強磁性金属薄膜の磁性層からなる磁気記録のビデオテープであることが好ましい。磁性層を強磁性金属薄膜とすることにより磁気ビデオテープはデジタル記録可能となり、コンピュータテキストファイル記録可能なデジタルデータテープとしても機能することが容易となり好ましい。
【００２５】
強磁性金属薄膜としては公知のものを使用でき、特に限定されないが、鉄、コバルト、ニッケル、またはそれらの合金の強磁性体からなるものが好ましい。金属薄膜層の厚さは１６０〜２５０ｎｍ、より好ましくは１８０〜２２０ｎｍが好ましい。１６０ｎｍより薄いと磁気テープの曲げ剛性が不足しヘッドタッチが大幅に不良となり録画、再生が不能となり好ましくない。２５０ｎｍより厚いと、強磁性金属薄膜層の磁気特性が不良となり、磁気テープの電磁変換特性が悪化し、ドロップアウトが非常に増加し好ましくない。
【００２６】
本発明におけるビデオテープ用ポリエステルフィルムは、その片側表面ＡのＲａ値が、表面Ａ上に真空蒸着により形成される強磁性金属薄膜膜の記録・再生時の磁気ヘッドによる磨耗を極力少なくし、および磁気テープの出力特性を良好に保つために、１〜４ｎｍ、好ましくは２〜３ｎｍである。Ｒａ値が１ｎｍ未満であると、表面Ａ上に真空蒸着により形成される強磁性金属薄膜層が平滑すぎて、ビデオカメラ内での録画、再生時に磁気ヘッドにより磁気テープの強磁性金属薄膜が磨耗してしまい好ましくない。Ｒａ値が４ｎｍを超えると、該強磁性金属薄膜層が粗面すぎて、磁気テープの出力特性が低下し好ましくない。
【００２７】
このポリエステルフィルムの片側表面Ａの高さ１２０〜２４０ｎｍのフィルム内異物起因突起個数は１〜４０個／１００ｃｍ２、より好ましくは１〜３０個／１００ｃｍ２である。高さ２４０ｎｍ以上のフィルム内異物起因突起個数は１〜１５個／５００ｃｍ２、より好ましくは１〜１０個／５００ｃｍ２である。高さ１２０〜２４０ｎｍのフィルム内異物起因突起個数が４０個／１００ｃｍ２を超えると、ビデオテープのドロップアウトが増加し好ましくない。高さ１２０〜２４０ｎｍのフィルム内の異物起因の表面突起個数を１個／１００ｃｍ２　より少なくしても、ビデオテープのドロップアウト個数の低減効果は顕著でなくなり、フィルム内の異物の徹底的軽減のために費用がかかりすぎかえって好ましいものではない。高さ２４０ｎｍを超えるフィルム内異物起因突起個数が１５個／５００ｃｍ２を超えると、ビデオテープへのテキストファイルの書き込み、読みとりエラーが発生しやすくなり好ましくない。高さ２４０ｎｍを超えるフィルム内の異物起因の表面突起個数を１個／５００ｃｍ２　より少なくしても、ビデオテープへのテキストファイルの書き込み、読みとりエラー個数の低減効果は顕著でなくなり、フィルム内の異物の徹底的軽減のために費用がかかりすぎかえって好ましいものではない。
【００２８】
この検索可能ビデオテープ用のポリエステルフィルムを構成するポリエステルは、分子配向により高強度フィルムとなるポリエステルであればよいが、なかでも、ポリエチレンテレフタレート、ポリエチレン−２，６−ナフタレートが好ましい。即ち、その構成成分の８０％以上がエチレンテレフタレート又はエチレンナフタレートであるポリエチレンテレフタレート、ポリエチレン−２，６−ナフタレートが好ましい。エチレンテレフタレート、エチレンナフタレート以外のポリエステル共重合体成分としては、例えばジエチレングリコール、プロピレングリコール、ネオペンチルグリコール、ポリエチレングリコール、ｐ−キシリレングリコール、１，４−シクロヘキサンジメタノールなどのジオール成分、アジピン酸、セバシン酸、フタル酸、イソフタル酸、５−ナトリウムスルホイソフタル酸などのジカルボン酸成分、トリメリット酸、ピロメリット酸などの多官能ジカルボン酸成分、ｐ−オキシエトキシ安息香酸などが挙げられる。
【００２９】
さらに、上記のポリエステルは、他にポリエステルと非反応性のスルホン酸のアルカリ金属塩誘導体、該ポリエステルに実質的に不溶なポリアルキレングリコールなどの少なくとも一つを５重量％を越えない程度に混合してもよい。
【００３０】
本発明のビデオテープは、本発明のポリエステルフィルムの片側被膜面上に強磁性金属薄膜層を設けることにより製造されるが、さらに、表面Ｂ上に、固体微粒子および結合剤からなり必要に応じて各種添加剤を加えた溶液を塗布することにより形成されるバックコート層を設けることが好ましく、固体微粒子、結合剤、添加剤としては公知のものを使用でき、特に限定されない。
【００３１】
次に、本発明によりビデオテープ録画内容を検索、再生するシステムや方法の一例を説明する。
【００３２】
タイムコードが付されて録画されたビデオテープの内容を、パソコンのエディター・プログラムを用いてＨＴＭＬ文書により録画内容を時系列でキーワードを主体に文書化する。該当キーワードには対応するビデオテープ録画フレーム部分のタイムコードを付加する。すなわちＨＴＭＬ文書内の再生をスタートさせたい位置にそのビデオテープの対応するタイムコードを関連づけておく。ＨＴＭＬファイルをブラウザーで閲覧し、見たい部分のキーワードをクリックするとその部分のタイムコードを示すテーブルにリンクできるようにしておく。そしてこのパソコンで作成したＨＴＭＬファイルを録画画像が記録されているビデオテープにパソコンを使用してデジタル記録する。
【００３３】
ビデオテープの録画内容の検索は、該ＨＴＭＬファイルを、記録されたビデオテープよりパソコンを用いて読み取り、パソコンのブラウザーで表示させ、希望のキーワードをクリックするか、任意のキーワードで検索し、その検索キーワードのタイムコードを選択し、そのタイムコードを該ビデオテープ搭載カメラ、ＶＴＲに入力することにより文書上で検索された部分のビデオ画面、音声が再生でき、ビデオテープの検索が可能になる。
【００３４】
次に、本発明のビデオテープ用ポリエステルフィルム及びそれを用いての磁気記録ビデオテープの製法の一例を説明する。
【００３５】
本発明のポリエステルフィルムは、そのＡ面側原料として含有粒子を可能な限り除いたポリエステル原料チップを用い、乾燥、溶融、成形、二軸延伸、熱固定からなる通常のプラスチックフィルム製造工程で製造されるが、その延伸工程では９０〜１４０℃で、縦、横方向に、２．７〜５．５倍、３．５〜７．０倍に延伸され、１９０〜２２０℃の温度で熱固定される。そして、下記の操作を行うことにより製造することができる。
【００３６】
（１）一方向に延伸後の平滑なポリエステルフィルムのＡ面側に、粒径が５〜６０ｎｍの微細粒子を有機化合物に含有させた被膜層をポリエステル表面に形成させる。微細粒子の粒径は５〜６０ｎｍ程度である。その粒子種としては、ポリアクリル酸、ポリスチレン、ポリエチレン、ポリエステル、ポリアクリル酸エステル、ポリメチルメタクリレート、ポリエポキシ樹脂、ポリ酢酸ビニル、アクリル−スチレン共重合体、アクリル系共重合体、各種変成アクリル系樹脂、スチレン−ブタジエン共重合体、各種変成スチレン−ブタジエン共重合体等の有機化合物粒子、シリカ、アルミナ、炭酸カルシウム等の無機粒子を核として、有機高分子で被覆した粒子等が使用できるが、これらに限定されない。有機化合物としては末端基がエポキシ、アミン、カルボン酸、水酸基等で変成された自己架橋性のものが好ましい。なお微細粒子としてはシリカ、アルミナ等の無機粒子でもかまわないが、有機粒子の方が発現する表面突起の径に比べて突起高さが低くなりがちでありより好ましい。被膜層に使用される有機化合物としてはポリビニルアルコール、トラガントゴム、カゼイン、ゼラチン、セルロース誘導体、水溶性ポリエステル、ポリウレタン、アクリル樹脂、アクリル−ポリエステル樹脂、イソフタル酸エステル樹脂、メタクリル酸エステル樹脂等の有極性高分子これらのブレンド体が使用できるが、これらに限定されない。これら記載の微細粒子を０．５〜１２．０重量％、好ましくは０．６〜１０．０重量％含む有機化合物からなる塗液を塗布して表面Ａ側に被覆層を形成させ、表面Ａ側に微細表面突起を形成する。被覆層に使用される有機化合物としてはポリビニルアルコール、トラガントゴム、カゼイン、ゼラチン、セルロース誘導体、水溶性ポリエステル、ポリウレタン、イソフタル酸エステル樹脂、メタクリル酸エステル樹脂等の有極性高分子、これらのブレンド体が使用できるが、これらに限定されない。
【００３７】
片側表面ＡのＲａ値は表面Ａ上に形成させた被覆層内の微粒子、成分、被覆層処方の調整により調節することができる。
【００３８】
（２）高さ１２０〜２４０ｎｍのフィルム内異物起因突起個数を１〜４０個／１００ｃｍ２、高さ２４０ｎｍを越えるフィルム内異物起因突起個数を１〜１５個／５００ｃｍ２とするには以下の方法で行う。
【００３９】
溶融押出しの際に層Ａ側溶融体を１．０μｍカット（９５％カット径）程度の性能を有する高精度フィルター内を通過させること、およびポリエステルフィルムを製造するためにポリエステルチップ原料を用いるがポリエステルチップ原料をサイロ等の原料保管庫に移動させる際に、またサイロ等に保管されたチップ原料をポリエステルフィルム製造用のポリエステルチップ乾燥機に移送させる際に、長径が２．５μｍ程度以上の大気中の塵埃をポリエステルチップに付着させないようにすることによってフィルム内の異物起因の高さ１２０〜２４０ｎｍのフィルム内異物起因突起個数を１〜４０個／１００ｃｍ２、高さ２４０ｎｍを超えるフィルム内異物起因突起個数を１〜１５個／５００ｃｍ２とすることができる。完全にポリエステルチップ原料を、環境空気の清浄度クラス（米国連邦規格・Ｆｅｄ’Ｓｔｄ−２０９Ｄ）１０００以下の環境で移動、移送させ、０．８μｍカット（９５％カット径）程度の性能を有する高精度フィルター内を通過させることできれば、高さ１２０〜２４０ｎｍのフィルム内異物起因突起個数を１個／１００ｃｍ２未満、高さ２４０ｎｍを超えるフィルム内異物起因突起個数を１個／５００ｃｍ２未満とすることができるが、その高精度フィルターの濾過寿命が短くなり、環境空気の清浄度を上げるための設備、維持管理費用が高価になりすぎ好ましくない。
【００４０】
なお、共押出し技術の使用により、前記Ａ層用の原料と積極的により大きな微粒子を含有させたＢ層用の原料とを用いてＡ／Ｂ積層フィルムを溶融押出しし製膜してもよいし、Ｂ層を用いなく、前記表面Ａ側と反対の表面Ｂ側に滑剤を含む塗液を塗布しＢ面側に易滑処理をしてもよい。Ｂ層を用い、更に滑剤を含む塗液を塗布しＢ面側の易滑処理をしてもよい。
【００４１】
二軸延伸は、例えば逐次二軸延伸法、同時二軸延伸法で行うことができるが、所望するならば熱固定前にさらに縦あるいは横方向あるいは縦と横方向に再度延伸させ機械的強度を高めた、いわゆる強力化タイプとすることもできる。
【００４２】
本発明の磁気記録ビデオテープは、本発明のポリエステルフィルムの表面Ａの被膜上に、真空蒸着により形成される強磁性金属薄膜層を設け、そしてテープ状にしたものであり、使用する金属薄膜としては公知のものを使用でき、特に限定されないが、鉄、コバルト、ニッケル、またはそれらの合金の強磁性体からなるものが好ましい。金属薄膜層の厚さは１６０〜２５０ｎｍが好ましい。１６０ｎｍを下回ると磁気テープからの再生出力信号が弱すぎ、記録信号が読みとれない。２５０ｎｍを上回ると金属薄膜層の磁気特性が悪化し、再生出力信号が弱すぎ、記録の読み取りが不可能となる。
【００４３】
即ち、本発明の磁気記録ビデオテープは、本発明のポリエステルフィルムの片側表面Ａの被膜上に、Ｃｏ等からなる強磁性金属薄膜を、真空蒸着により膜厚み１６０〜２５０ｎｍ程度で形成し、この金属薄膜上に１０ｎｍ程度の厚みのダイヤモンド状カーボン膜をコーティングし、さらにその上に、潤滑剤を塗布し、他方、片側表面Ｂに固体微粒子および結合剤からなり必要に応じて各種添加剤を加えた溶液を塗布することによりバックコート層を設け、そして、所定のテープ幅に切断することにより、製造することができる。
【００４４】
【実施例】
本実施例で用いた測定法を下記に示す。
（１）Ｒａ値
磁気記録媒体用フィルムの表面Ａ又は表面Ｂの表面粗さＲａ値は、原子間力顕微鏡（走査型プローブ顕微鏡）を用いて測定した。セイコーインスツルメント社製の卓上小型プローブ顕微鏡（Ｎａｎｏｐｉｃｓ　１０００）を用い、ダンピングモードでフィルムの表面を４μｍ角の範囲で原子間力顕微鏡計測走査を行い、得られる表面のプロファイル曲線よりＪＩＳ・Ｂ０６０１・Ｒａに相当する算術平均粗さよりＲａを求めた。面内方向の拡大倍率は１万〜５万倍、高さ方向の拡大倍率は１００万倍程度とした。
（２）高さ１２０〜２４０ｎｍ、高さ２４０ｎｍを超えるフィルム内異物突起個数
光学顕微鏡（観測倍率：１００倍）を用いてフィルムＡ側表面を観察し、フィルム内異物により突起状に見える表面突起を観測してマーキングする。マーキングされたそれら表面突起の高さを、キーエンス社製のレーザー顕微鏡（表面形状測定顕微鏡　ＶＦ−７５００）を用いて１２０〜２４０ｎｍであるか、又は、２４０ｎｍを超えるかを判定する。表面突起がフィルム内の異物起因か否か判定が困難な場合はこれらマーキングした突起を走査型電子顕微鏡−Ｘ線微小解析（ＳＥＭ−ＸＭＡ解析）し、その表面突起がフィルム内の異物起因かどうかを、異物がフィルム内に存在するか否かにより判断した。このようにして確認されたフィルム内異物突起個数を分子とし、観測した面積を分母として、フィルム内異物突起個数を求めた。高さ１２０〜２４０ｎｍの場合は、面積１００ｃｍ２あたりのフィルム内異物突起個数でもって、また、高さ２４０ｎｍを超えるの場合は、面積５００ｃｍ２あたりのフィルム内異物突起個数でもって表した。
【００４５】
磁気テープから測定する場合は、磁気記録した後に、磁性コロイドを磁気テープ表面に塗布し光学顕微鏡（観測倍率：１００倍）により塗布表面観察することにより行う。塗布表面上の磁気記録が抜けた箇所をマーキングし、マーキングされたそれら欠陥の高さをキーエンス社製のレーザー顕微鏡（表面形状測定顕微鏡ＶＦ−７５００）を用いて前記同様に測定し、観測した面積より、１００ｃｍ２あたりの、又は、５００ｃｍ２あたりのフィルム内異物突起個数を求める。
【００４６】
（３）録画済みＤＶＣテープの、読み取り性、検索・再生性
ＤＶＣカメラで撮影された録画済みＤＶＣテープを、松下電器（株）製のＤＶ搭載パソコンＦＸ−ＣＲ０１（パソコン２）に組み込んで、テープからテキストファイルが読みとれるか否かを調べた。
次いで、読み取ったテキストファィルからキーワード検索によって録画内容の検索ができるか否かを調べ、さらに、その検索された録画部分の再生の指示に連動して、それに対応するテープ部分の録画が再生されるか否かを調べた。
それら読み取り時、又は、検索・再生時におけるエラー回数を測定し、１００回あたりのエラー回数でもって、読み取り性、又は、検索・再生性を評価した。
【００４７】
（４）録画済みＤＶＣテープからの再生画像の画質
ＤＶＣカメラで撮影された録画済みＤＶＣテープを市販のＤＶＣレコーダーで再生させた時、再生画像中に、１分間に発生するブロック状のモザイク個数（ドロップアウト（ＤＯ）個数）を数え、画質の評価をした。
【００４８】
次に実施例に基づき、本発明を説明する。
【００４９】
［実施例１］
実質的に不活性粒子を含有しないポリエチレンテレフタレート原料Ａと、同一のポリエチレンテレフタレートと平均粒径２００ｎｍのケイ酸アルミニウムを０．２５重量％含有させた原料Ｂとを厚み比５：１の割合で共押出し、冷却ドラムに密着させシート化し、ロール延伸法で１１０℃で３．３倍に縦延伸した。
【００５０】
溶融押出しの前に、層Ａ側の溶融体（原料Ａ）は１．０μｍカット（９５％カット径）の性能を有する高精度フィルター内を通過させた。
【００５１】
共押し出しにあたり原料Ａと原料Ｂとは押し出し時の加水分解を防ぐために真空乾燥処理を行うが、原料Ａの製膜室外の保管サイロから真空乾燥機への移送は、エアーブロアーによる空気輸送方式を用い、そのエアーには、エアー取り込み口に１μｍ粒子を９０％程度除去できる中性能フィルターを通して取込んだ空気を使用した。
【００５２】
縦延伸の後の工程で、片側表面Ａの外側に下記組成の水溶液を固形分塗布量が２０ｍｇ／ｍ２　となるように塗布した。
【００５３】
Ａ面外側への塗布水溶液（全体としてのｐＨ＝４．５）：
メチルセルロース　　　　　　　　　　　０．１２　重量％
水溶性ポリエステル（＝テレフタル酸７０モル％、５−ナトリウムスルホイソフタル酸３０モル％の酸成分とエチレングリコールとの１：１の共重合体）　　　０．３５　重量％
アミノ変性シリコーン　　　　　　　　　０．０１　重量％
平均粒径　１２ｎｍの極微細シリカ　　　０．０１重量％
その後、ステンターにて横方向に１０５℃で４．４倍に延伸し、２１０℃で熱処理し中間スプールに巻き、スリッターで小幅にスリットし、円筒コアーにロール状に巻取り、厚さ６．３μｍのロール状ポリエステルフィルムを作製した。得られたポリエステルフィルムの特性を表１に示す。なおポリエステルフィルムのＢ面のＲａ値は１５ｎｍであった。
【００５４】
このポリエステルフィルムの表面Ａの被膜上に真空蒸着によりコバルト−酸素薄膜を１６０ｎｍの膜厚で形成した。次にコバルト−酸素薄膜層上に、スパッタリング法によりダイヤモンド状カーボン膜を１０ｎｍの厚さで形成させ、フッ素含有脂肪酸エステル系潤滑剤を３ｎｍの厚さで塗布した。続いて表面Ｂ上に、カーボンブラック、ポリウレタン、シリコーンからなるバックコート層を５００ｎｍの厚さで設け、スリッターにより幅６．３５ｍｍにスリットしリールに巻き取り磁気テープ（ＤＶＣテープ１、録画時間６０分）を作製した。
【００５５】
得られたＤＶＣテープ１を市販のＤＶＣカメラに搭載し、京都市観光に出かけ、京都駅、清水寺、平安神宮、京都大学キャンパス、吉田山、銀閣寺、金閣寺、本能寺、四条川原町、東寺と訪れ、５０分の市内風景の撮影を行った。撮影した録画内容をＤＶＣテープから再生し、タイムコード情報も確認しながら、パソコンのエディタープログラム（メモ帳）を用いて、タイムコード情報と一緒にホームページ（ＨＴＭＬ文書）化した。すなわち、京都観光に行った年月日を記し、訪問場所としてキーワード的に京都駅の風景、清水寺の風景、平安神宮の風景、京都大学キャンパスの風景、吉田山の風景、銀閣寺の風景、金閣寺の風景、本能寺の風景、四条川原町、東寺の５重の塔というように文字データを入力し、文書化し、ブラウザーで読めるようにＨＴＭＬ文書とし、各文字データをクリックするとその風景が録画されているタイムコードを示すテーブルが表示されるようにした。なおパソコンは松下電器（株）製のＤＶ搭載パソコンＦＸ−ＣＲ０１を用いた。ＨＴＭＬ文書作成終了後、この文書ファイルをＤＶＣテープの５１分目の位置にデジタル記録した（ＤＶＣテープ２）。
【００５６】
このＤＶＣテープ２を別の松下電器製のＤＶ搭載パソコンＦＸ−ＣＲ０１（パソコン２）に組み込み、録画時間５１分目の位置にあるテキストファイルを読みとらせ、ＮｅｔＳｃａｐｅ　Ｎａｖｉｇａｔｏｒブラウザーソフトウェアを用いて閲覧した。ＤＶＣテープ２内には京都駅、清水寺、平安神宮、京都大学キャンパス、吉田山、銀閣寺、金閣寺、本能寺、四条川原町、東寺の５重の塔が動画として録画されていることが録画像を再生することなく判った。そのうちの任意のキーワードをクリックするとそのキーワードの録画部分に対応するタイムコードが表示された。このタイムコードをクリックすると、選択されたタイムコードがＤＶデッキに転送されＤＶデッキ内でＤＶＣテープが早送りされ、そのタイムコード部分より頭出しされるソフトウェアにより、検索された録画内容が再生された。
【００５７】
このように、パソコン２でのテキストファイルの読みとりを１００回行い、任意の検索、再生を１００回行うことによって評価したが、いずれにおいてもエラーは起きず、任意のキーワード部分の検索ができ、再生画像のドロップアウト（ＤＯ）は無かった。検索状況、再生画質の特性を表１に示す。
【００５８】
［実施例２］
実施例１のフィルム製造において、ポリエステルフィルムの厚さを５．３μｍに変更してポリエステルフィルムを製造し、このフィルムを用いて厚さ６．０μｍの磁気テープを製造し、７０分録画可能なＤＶＣカセットテープ（ＤＶＣテープ３）を作製した。
【００５９】
３人が、各自の持ち時間が２０分、全体の時間が６０分の技術報告会を行っている時の状況を、市販のＤＶＣカメラを用いてＤＶＣテープ３に録画した。ＤＶＣテープ３を再生し、録画内容を実施例１と同様にしてＨＴＭＬ文書化し、この文書をＤＶＣテープ３の６１分目の位置に記録した（ＤＶＣテープ４）。具体的には、報告会年月日、日時、場所、３人の報告者の氏名、報告順に報告者名、報告題名、おおまかな目次、得られた知見、結論を、キーワード的に文字データとして入力し、文書化し、実施例１と同様にそのキーワードに対応したタイムコードを付したＨＴＭＬ文書ファイルを作成した。
【００６０】
ＤＶＣテープ４に関して、実施例１のＤＶＣテープ２と同様にして録画時間６１分目の位置にある記録文書を読みとらせた。その他実施例１と同様にして読みとり１００回、検索再生１００回行ったが、いずれにおいてもエラーは起きず、任意のキーワード部分の検索ができ、再生画像のドロップアウト（ＤＯ）は無かった。
【００６１】
［実施例３］
実施例１のフィルム製造において、ポリエチレンテレフタレートをポリエチレン−２，６−ナフタレートに変更し、原料Ｂ内のケイ酸アルミニウムの含有量を１．１重量％と変更し、縦延伸温度、倍率を１３５℃で５．０倍と変更し、固形分塗布量を５０ｍｇ／ｍ２と変更し、横延伸温度、倍率を１３５℃、６．５倍と変更し、２００℃の熱処理に変更し、その他は実施例１と同様にして、厚さ４．８μｍのポリエステルフィルムを作製した。得られたポリエステルフィルムの特性を表１に示す。なおポリエステルフィルムのＢ面のＲａ値は２０ｎｍであった。
【００６２】
得られたポリエステルフィルムから、実施例１と同様にして録画時間８０分の磁気テープ（ＤＶＣテープ５）を作製した。
【００６３】
次いで、市販のＤＶＣカメラを用いて、市内を散歩して、７０分の市内の風景を録画した。この録画内容にキーワード的文字データを追加したＨＴＭＬ文書を、実施例１と同様にして作成し、文書ファイルをＤＶＣテープの７１分目の位置にデジタル記録した（ＤＶＣテープ６）。
【００６４】
ＤＶＣテープ６を実施例１のＤＶＣテープ２と同様にして録画時間７１分目の位置にあるテキスト文書を読みとらせた。その他実施例１と同様にして読みとり１００回、検索再生１００回行ったが、いずれにおいてもエラーは起きず、任意のキーワード部分の検索ができ、再生画像のドロップアウト（ＤＯ）は無かった。
【００６５】
［比較例１］
実施例１において製造し、撮影したＤＶＣテープに、録画内容テキスト文書を追加記録しなかった。そのため、録画されたＤＶＣテープにはどのような内容が録画されているかを再生せずに知ることができず、ＤＶＣテープの録画内容の検索は不可能であった。
【００６６】
［比較例２］
実施例１において製造し、撮影したＤＶＣテープの録画内容に、キーワード的文字データを入力し、文書化する際、タイムコード情報を一緒に文書化することはしなかった。従って、得られたＤＶＣテープに記録されたコンピュータテキストファイルは、録画ビデオテープのタイムコードと共通のタイムコードを持たないものであった。このためパソコン２により録画内容文書を読みとることができ、キーワード検索まではできるものの、その録画内容に対応するタイムコードが判らず、ＤＶＣテープの録画内容を検索かつ再生することは不可能であった。
【００６７】
［比較例３］
実施例１のフィルム製造において、固形分塗布量を１０ｍｇ／ｍ２と変更した。その他は実施例１と同様にして、厚さ６．３μｍのポリエステルフィルムを作製し、磁気テープ（ＤＶＣテープ、録画時間６０分）を作製した。得られたポリエステルフィルムの特性を表１に示す。なおポリエステルフィルムのＢ面のＲａ値は１５ｎｍであった。
【００６８】
得られたＤＶＣテープに、実施例３と同様にして市内風景の撮影を行った後、キーワードとタイムコードとを関連づけて入力したＨＴＭＬ文書を作成し、記録させた。得られたＤＶＣテープの録画内容の検索性、再生画像の画質を、実施例１と同様に調べた。検索状況、再生画質の特性を表１に示す。
【００６９】
［比較例４］
実施例１のフィルム製造において、固形分塗布量を９５ｍｇ／ｍ２と変更した。その他は実施例１と同様にして、厚さ６．３μｍのポリエステルフィルムを作製し、磁気テープ（ＤＶＣテープ、録画時間６０分）を作製した。得られたポリエステルフィルムの特性を表１に示す。なおポリエステルフィルムのＢ面のＲａ値は１５ｎｍであった。
【００７０】
得られたＤＶＣテープに、実施例３と同様にして市内風景の撮影を行った後、キーワードとタイムコードとを関連づけて入力したＨＴＭＬ文書を作成し、記録させた。得られたＤＶＣテープの録画内容の検索性、再生画像の画質を、実施例１と同様に調べた。検索状況、再生画質の特性を表１に示す。
【００７１】
［比較例５］
実施例１のフィルム製造において、溶融押出しの前に層Ａ側の溶融体（原料Ａ）を通過させるフィルターを、２．０μｍカット（９５％カット径）の性能を有するフィルター内に変更した。その他は実施例１と同様にして、厚さ６．３μｍのポリエステルフィルムを作製し、磁気テープ（ＤＶＣテープ、録画時間６０分）を作製した。得られたポリエステルフィルムの特性を表１に示す。なおポリエステルフィルムのＢ面のＲａ値は１５ｎｍであった。
【００７２】
得られたＤＶＣテープに、実施例３と同様にして市内風景の撮影を行った後、キーワードとタイムコードとを関連づけて入力したＨＴＭＬ文書を作成し、記録させた。得られたＤＶＣテープの録画内容の検索性、再生画像の画質を、実施例１と同様に調べた。検索状況、再生画質の特性を表１に示す。
【００７３】
［比較例６］
実施例１のフィルム製造において、原料Ａを保管サイロから真空乾燥機へと移送する空気輸送方式で使用する空気の取込み口に設けた中性能フィルターを、５０μｍ程度の粗い塵埃を２０％程度捕集するラフフィルターに変更した。その他は実施例１と同様にして、厚さ６．３μｍのポリエステルフィルムを作製し、磁気テープ（ＤＶＣテープ、録画時間６０分）を作製した。得られたポリエステルフィルムの特性を表１に示す。なおポリエステルフィルムのＢ面のＲａ値は１５ｎｍであった。
【００７４】
得られたＤＶＣテープに、実施例３と同様にして市内風景の撮影を行った後、キーワードとタイムコードとを関連づけて入力したＨＴＭＬ文書を作成し、記録させた。得られたＤＶＣテープの録画内容の検索性、再生画像の画質を、実施例１と同様に調べた。検索状況、再生画質の特性を表１に示す。
【００７５】
【表１】
2004095050.tif 000002
表１の特性から明らかな様に、本発明によると、ＤＶＣテープの録画内容を容易に検索し、再生することができる。さらに、再生された画像は、ＤＯの少ない良好な画質のものであった。
【００７６】
【発明の効果】
本発明によると、ビデオテープの録画内容をテキスト文書より検索可能であるので、ＤＶＣテープを再生しなくてもＤＶＣテープ録画内容を容易に検索することができる。さらに、検索された箇所を容易に再生することができ、また、良好な画質で再生することができる。